(57)【要約】【課題】簡易な操作でユーザ間のコミュニケーションを図る。【解決手段】実施形態の通信端末装置のメール受信手段は、通信ネットワークを介してメールを受信する。表示制御手段は、受信したメールを確認対象メールとして表示手段に表示するとともに、当該確認対象メールを読んだことの確認操作を促す表示を行う。メール送信手段は、確認操作がなされた場合に、写真撮影手段により写真を撮影して返信メールに添付して所定の送信先に送信する。【選択図】図１３
2014063211.tif 000002
【特許請求の範囲】
【請求項１】
通信ネットワークを介してメールを受信するメール受信手段と、
写真撮影を行う写真撮影手段と、
各種情報を表示する表示手段と、
受信した前記メールを確認対象メールとして表示するとともに、当該確認対象メールを読んだことの確認操作を促す表示を行う表示制御手段と、
前記確認操作がなされた場合に、前記写真撮影手段により写真を撮影して返信メールに添付して所定の送信先に送信するメール送信手段と、
を備えた通信端末装置。
【請求項２】
前記メール送信手段は、前記返信メールを受信したメールの送信先を含む複数の所定の送信先へ前記返信メールを送信する、
請求項１記載の通信端末装置。
【請求項３】
前記通信端末装置は、複数の他の通信端末装置と同一のコミュニティに属しており、
前記メール送信手段は、同一のコミュニティに属する他の通信端末装置を前記所定の送信先とする、
請求項１または請求項２記載の通信端末装置。
【請求項４】
前記写真撮影手段は、自己が備えられている通信端末装置の操作者の前記確認操作時の写真撮影を行う、
請求項１乃至請求項３のいずれかに記載の通信端末装置。
【請求項５】
通信ネットワークを介して通信を行うとともに、各種情報を表示する表示装置を備えた通信端末装置において実行される制御方法であって、
通信ネットワークを介してメールを受信するメール受信過程と、
受信した前記メールを確認対象メールとして前記表示装置に表示するとともに、当該確認対象メールを読んだことの確認操作を促す表示を行う表示制御過程と、
前記確認操作がなされた場合に、写真撮影を行う写真撮影過程と、
前記写真撮影過程において撮影された写真を返信メールに添付して所定の送信先に送信するメール送信過程と、
を備えた制御方法。
【請求項６】
通信ネットワークを介して通信を行うとともに、各種情報を表示する表示装置を備えた通信端末装置をコンピュータにより制御する制御プログラムであって、
前記コンピュータを、
通信ネットワークを介してメールを受信するメール受信手段と、
写真撮影を行う写真撮影手段と、
受信した前記メールを確認対象メールとして前記表示装置に表示するとともに、当該確認対象メールを読んだことの確認操作を促す表示を行う表示制御手段と、
前記確認操作がなされた場合に、前記写真撮影手段により写真を撮影して返信メールに添付して所定の送信先に送信するメール送信手段と、
して機能させる制御プログラム。
【発明の詳細な説明】
【技術分野】
【０００１】
本発明の実施形態は、通信端末装置、制御方法及び制御プログラムに関する。
【背景技術】
【０００２】
近年、若者を中心として携帯電話、スマートフォンなどの携帯情報処理端末装置が急      
速に普及している。
これらの携帯情報処理端末装置は、さまざまな場所で情報を取得したり、発信したりするツールとして現代においては欠かせない道具となりつつある（例えば、特許文献１参照）。
【０００３】
しかしながら、携帯電話やスマートフォン等のように、携帯性を重視した通信端末装置においては、ディスプレイや操作部がサイズ的な制限を受けるため、子供や高齢者にとっては、必ずしも使いやすいものとはなっていなかった。
これを解決するために、特許文献２に示すように、操作支援を行う情報処理装置が提案されているが、あくまで通常人と同一の操作を行わせるための支援を行うものであり、必ずしも操作が簡単になるわけではなかった。
【先行技術文献】
【特許文献】
【０００４】
【特許文献１】特開２００９−８０５９３号公報
【特許文献２】特開２００９−２３２３５９号公報
【発明の概要】
【発明が解決しようとする課題】
【０００５】
特に高齢者のように比較的新しいものに対する適応力が低下してきている世代にとっては、携帯性を重視した通信端末装置は適応しづらいものであった。例えば、メール等を受け取っても返信メールの作成、送信等は比較的難しい操作となって、適応できないユーザも多いのが実情である。
そこで、本発明は、簡易な操作でユーザ間のコミュニケーションを図ることが可能な通信端末装置、制御方法及び制御プログラムを提供することにある。
【課題を解決するための手段】
【０００６】
本発明の実施形態の通信端末装置のメール受信手段は、通信ネットワークを介してメールを受信する。
表示制御手段は、受信したメールを確認対象メールとして表示手段に表示するとともに、当該確認対象メールを読んだことの確認操作を促す表示を行う。
メール送信手段は、確認操作がなされた場合に、写真撮影手段により写真を撮影して返信メールに添付して所定の送信先に送信する。
【０００７】
上記構成において、前記メール送信手段は、前記返信メールを受信したメールの送信先を含む複数の所定の送信先へ前記返信メールを送信するようにしてもよい。
また、前記通信端末装置は、複数の他の通信端末装置と同一のコミュニティに属しており、前記メール送信手段は、同一のコミュニティに属する他の通信端末装置を前記所定の送信先とするようにしてもよい。
【０００８】
さらにまた、前記写真撮影手段は、自己が備えられている通信端末装置の操作者の前記確認操作時の写真撮影を行うようにしてもよい。
【０００９】
また、実施形態の制御方法は、通信ネットワークを介して通信を行うとともに、各種情報を表示する表示装置を備えた通信端末装置において実行される制御方法であって、通信ネットワークを介してメールを受信するメール受信過程と、受信した前記メールを確認対象メールとして前記表示装置に表示するとともに、当該確認対象メールを読んだことの確認操作を促す表示を行う表示制御過程と、前記確認操作がなされた場合に、写真撮影を行う写真撮影過程と、前記写真撮影過程において撮影された写真を返信メールに添付して所定の送信先に送信するメール送信過程と、を備える。
【００１０】
また、実施形態の制御プログラムは、通信ネットワークを介して通信を行うとともに、各種情報を表示する表示装置を備えた通信端末装置をコンピュータにより制御する制御プログラムであって、前記コンピュータを、通信ネットワークを介してメールを受信するメール受信手段と、写真撮影を行う写真撮影手段と、受信した前記メールを確認対象メールとして前記表示装置に表示するとともに、当該確認対象メールを読んだことの確認操作を促す表示を行う表示制御手段と、前記確認操作がなされた場合に、前記写真撮影手段により写真を撮影して返信メールに添付して所定の送信先に送信するメール送信手段と、して機能させる。
【発明の効果】
【００１１】
本発明によれば、簡易な操作で通信端末装置のユーザ間のコミュニケーションを図ることができる。
【図面の簡単な説明】
【００１２】
【図１】図１は、通信システムの概要構成ブロック図である。
【図２】図２は、サーバの概要構成図である。
【図３】図３は、端末装置の概要構成ブロック図である。
【図４】図４は、スマートフォンの制御系の概要構成ブロック図である。
【図５】図５は、コミュニティを構築する場合の処理タイミングチャートである。
【図６】図６は、コミュニティ作成時のユーザ登録画面の一例の説明図である。
【図７】図７は、コミュニティ作成完了画面の一例の説明図である。
【図８】図８は、タブレットにおけるユーザ登録画面の説明図である。
【図９】図９は、ユーザ登録完了画面の一例の説明図である。
【図１０】図１０は、親機における子機の探索画面の一例の説明図である。
【図１１】図１１は、同一のコミュニティに登録された機器同士におけるデータの取り扱いの説明図である。
【図１２】図１２は、子機アプリケーションのメイン画面の一例の説明図である。
【図１３】図１３は、子機アプリケーションにおけるメイン処理の処理フローチャートである。
【図１４】図１４は、メール作成処理及びメール処理の処理タイミングチャートである。
【図１５】図１５は、子機であるスマートフォンにおけるユーザアプリケーションのメイン画面の説明図である。
【図１６】図１６は、メール作成処理の処理フローチャートである。
【図１７】図１７は、メール作成初期画面の一例の説明図である。
【図１８】図１８は、手書き入力画面の一例の説明図である。
【図１９】図１９は、キーボード入力画面の一例の説明図である。
【図２０】図２０は、手紙を読む場合の処理フローチャートである。
【図２１】図２１は、メール表示例の説明図である。
【図２２】図２２は、写真撮影処理の処理フローチャートである。
【図２３】図２３は、写真撮影画面の一例の説明図である。
【図２４】図２４は、スライドショー表示の一例の説明図である。
【図２５】図２５は、子機におけるメール受信時の他の動作例の説明図である。
【図２６】図２６は、再撮影問合せ画面の一例の説明図である。
【発明の実施の形態】
【００１３】
次に図面を参照して実施形態について説明する。
図１は、通信システムの概要構成ブロック図である。
通信システム１０は、データベース１１を有し、配信管理サーバとして機能しているサーバ１２と、通信システム１０全体を制御するシステム管理端末装置として機能している管理端末装置（ＰＣ）１３と、第１のコミュニティ（グループ）であるコミュニティＡに属する端末装置であるスマートフォン１４、タブレット１５及びスマートフォン１６と、第２のコミュニティーであるコミュニティＢに属する端末装置であるタブレット１７、１８及びスマートフォン１９と、複数の無線基地局２０と、通信ネットワーク２１と、を備えている。
【００１４】
図２は、サーバの概要構成図である。
上記構成において、サーバ１２は、情報処理装置としてのいわゆるコンピュータとして構成されている。
【００１５】
より詳細にはサーバ１２は、図２に示すように、サーバ１２全体を制御するＭＰＵ３１と、ＭＰＵ３１の動作制御を行う制御プログラムを含む各種データを不揮発的に記憶するＲＯＭ３２と、ＭＰＵ３１のワーキングエリアとして機能し、各種データを一時的に記憶するＲＡＭ３３と、オペレータが各種操作を行う操作部３４と、各種データを表示するディスプレイ部３５と、データベース１１に対する入出力制御を含む各種入出力インタフェース動作を行う入出力インタフェース部３６と、通信ネットワーク２１を介した通信インタフェース動作を行う通信インタフェース部３７と、を備えている。
【００１６】
管理端末装置１３は、据置型情報端末装置としてのいわゆるコンピュータとして構成されている。
管理端末装置１３は、管理端末装置１３全体を制御するＭＰＵと、ＭＰＵの動作制御を行う制御プログラムを含む各種データを不揮発的に記憶するＲＯＭと、ＭＰＵのワーキングエリアとして機能し、各種データを一時的に記憶するＲＡＭと、キーボード、マウスなどを有し、オペレータが各種操作を行う操作部と、各種データを表示するディスプレイ部と、通信ネットワーク２１を介した通信インタフェース動作を行う通信インタフェース部と、を備えている。
【００１７】
また、スマートフォン１４、タブレット１５、スマートフォン１６、タブレット１７、タブレット１８及びスマートフォン１９は、通信端末装置として機能している。
そして、スマートフォン１４、タブレット１５、スマートフォン１６、タブレット１７、タブレット１８及びスマートフォン１９は、それぞれ携帯型情報端末装置としてのいわゆるコンピュータとして構成されている。
【００１８】
すなわち、スマートフォン１４、タブレット１５、スマートフォン１６、タブレット１７、タブレット１８及びスマートフォン１９は、同様の構成であるので、ここでは、スマートフォン１４を例として説明する。
【００１９】
図３は、端末装置の概要構成ブロック図である。
端末装置であるスマートフォン１４（親機）、タブレット１５（子機）、スマートフォン１６（子機）、タブレット１７（親機）、タブレット１８（子機）、スマートフォン１９（子機）は同様の構成をしている。
従って、以下の説明においては、スマートフォン１４を例として構成を説明する。
【００２０】
スマートフォン１４は、スマートフォン１４全体を制御するＭＰＵ４１と、ＭＰＵ４１の動作制御を行う制御プログラムを含む各種データを不揮発的に記憶するＲＯＭ４２と、ＭＰＵ４１のワーキングエリアとして機能し、各種データを一時的に記憶するＲＡＭ４３と、操作部として機能するタッチパネル４４と、各種データを表示するディスプレイ４５と、通信ネットワーク２１を介した通信インタフェース動作を行う通信インタフェース部４６と、ディスプレイ４５の表示画面を表面側とすると、背面側に配置された第１カメラ４７と、ディスプレイ４５側（表面側）に配置された第２カメラ４８と、メモリカードに対するデータの読み出し及び書き込みを行うメモリカードＲ／Ｗ４９と、オーディオ再生を行うためのオーディオインタフェース部５０と、を備えている。
【００２１】
この場合において、ディスプレイ４５及びタッチパネル４６は、共働してタッチパネルディスプレイとして機能している。
また、通信インタフェース部４６としては、公衆無線ＬＡＮや公衆携帯電話回線網に接続可能な構成とされている。
【００２２】
さらに、スマートフォン１４は、自己が属するコミュニティＡにおいて、当該コミュニティＡにおける各種管理設定の管理権限を有する親機（管理端末装置）として機能し、コミュニティＡに属する子機（被管理端末装置）として機能するタブレット１５及びスマートフォン１６の管理制御を行う。この管理制御の内容については、後に詳述する。
【００２３】
同様にタブレット１７は、自己が属するコミュニティＢにおいて、当該コミュニティＢにおける各種管理設定の管理権限を有する親機（管理端末装置）として機能し、コミュニティＢに属する子機（被管理端末装置）として機能するタブレット１８及びスマートフォン１９の管理制御を行う。
【００２４】
無線基地局２０は、通信ネットワーク２１を介して、通信システム１０を構成している通信端末装置とサーバ１２とを通信可能に接続している。
通信ネットワーク２１は、無線通信ネットワーク及び有線通信ネットワークを含むＩＰ通信ネットワークおよび公衆電話回線ネットワーク等により構成されている。
【００２５】
ここで、親機として機能するスマートフォンの制御系の概要構成について説明する。
図４は、スマートフォンの制御系の概要構成ブロック図である。
図４において、図３と同一の部分には、同一の符号を付すものとする。
親機として機能するスマートフォン１４は、上述したように、通信機能を有する携帯型情報処理端末装置として構成されている。
【００２６】
上記構成において、ＭＰＵ４１、ＲＯＭ４２、ＲＡＭ４３及びオーディオインタフェース部５０は、コントローラ５１として一体に構成され、オペレーティングシステムの中核をなすカーネル５２にしたがって動作している。
【００２７】
また、タッチパネル４４、ディスプレイ部４５として機能するディスプレイ、通信インタフェース部４６、第１カメラ４７、第２カメラ４８及びメモリカードＲ／Ｗ４９は、それぞれドライバ５３−１〜５３−６を介してカーネル５２により制御されている。
さらに、カーネル５２は、ライブラリ５４を介してユーザアプリケーション５５との間でやり取りを行っている。
【００２８】
次に実施形態の動作について説明する。
本実施形態においては、親機と、当該親機の管理下にある子機とは、同一のコミュニティ（グループ）に属し、グループを構成している各装置は、論理的にローカルなネットワークを構築している。
図１の例の場合、親機であるスマートフォン１４が属するとともに、管理しているコミュニティＡには、子機であるタブレット１５及び子機であるスマートフォン１６が属している。
【００２９】
また、親機であるタブレット１７が属するとともに、管理しているコミュニティＢには、子機であるタブレット１８及び子機であるスマートフォン１９が属している。
そして、同一のコミュニティ内の装置間においては、コミュニティ外の他の装置とは異なる通信制御を行っている。
【００３０】
このため、本実施形態においては、親機がユーザ登録（管理者登録）を行ってコミュニティを生成するとともに、ユーザ登録を行った子機をコミュニティに登録することにより、一の親機に対して当該親機が管理するコミュニティに属する子機を特定している。
【００３１】
図５は、コミュニティを構築する場合の処理タイミングチャートである。
以下、コミュニティＡを構築する場合を例として説明する。
まず、親機であるスマートフォン１４のユーザは、サーバ１２にアクセスし、管理者登録としてのユーザ登録を行う（ステップＳ１１）。
【００３２】
図６は、コミュニティ作成時のユーザ登録画面の一例の説明図である。
コミュニティ作成時のユーザ登録画面Ｇ１には、メールアドレス（の一部）として用いられる管理ユーザ名をユーザが入力するための管理ユーザ名入力欄６１と、所定文字数（本実施形態では６文字）以上の文字数でパスワードを入力するためのパスワード入力欄６２と、パスワード入力欄６２に入力したパスワードを入力させてパスワードを確認させるための確認用パスワード入力欄６３と、管理ユーザ名入力欄６１、パスワード入力欄６２及び確認用パスワード入力欄６３に入力した内容でユーザ登録を行うことをサーバ１２に対して指示するための登録ボタン６４と、ユーザ登録処理をキャンセルするためのキャンセルボタン６５と、を備えている。
【００３３】
したがって、親機であるスマートフォン１４のユーザは、管理ユーザ名入力欄６１、パスワード入力欄６２及び確認用パスワード入力欄６３に入力を行って、内容を確認後に登録ボタン６４をタップすると、各欄６１〜６３に入力された内容で管理者ユーザ登録を行う。なお、管理ユーザ名が既に登録されているものである場合には、その旨がサーバ１２から通知されるので、再度別の管理ユーザ名を入力して、同様の処理を行うこととなる。
【００３４】
図７は、コミュニティ作成完了画面の一例の説明図である。
これにより、サーバ１２は、親機であるスマートフォン１４のユーザ登録を完了し、当該スマートフォン１４のユーザに対してユーザＩＤを発行する（ステップＳ１２）。これによりコミュニティＡの作成は完了する。
【００３５】
ここで、ユーザＩＤは、子供やお年寄りであっても覚えやすいものとなることが好ましい。そこで、本実施形態では、数字と動物名の組み合わせを採用している。しかしながら、子供やお年寄りであっても覚えやすいものであれば、これに限るものではない。
【００３６】
例えば、ユーザＩＤとしては、図７に示すように、「３９３匹のキリン」のようなものとする。
さらにサーバ１２は、ユーザアイコン６８を通知し、ユーザ種別＝「親機」、登録されたメールアドレス、メール通知を行うか否かなどを通知するので、内容に問題がなければ、「この内容でユーザ登録」ボタン６９をタップすることで、ユーザ登録が完了する。
【００３７】
親機であるスマートフォン１４のユーザ登録完了後に、子機であるタブレット１５及びスマートフォン１６のユーザ登録を行う。
以下の説明では、タブレット１５のユーザ登録を主として説明する。
【００３８】
図８は、タブレットにおけるユーザ登録画面の説明図である。
管理者ユーザ登録ではない一般のユーザ登録においては、ユーザ登録手続きを簡略化するため、ユーザ登録画面Ｇ３で入力を要求されるのは、ユーザの生年月日のみとなっている。
【００３９】
すなわち、ユーザ登録画面Ｇ３には、生年月日のうち、年を表示する年表示領域７１と、月を表示する月表示領域７２と、日を表示する日表示領域７３と、タップすることにより年表示領域７１に表示している値を１増加させるとともに、所定時間以上タッチし続けるロングタッチを行うことで大きく値（＝例えば、１０）を増加させる年増加ボタン７４と、タップすることにより年表示領域７１に表示している値を１減少させるとともに、ロングタッチを行うことで大きく値（＝例えば、１０）を減少させる年減少ボタン７５と、が設けられている。
【００４０】
また、ユーザ登録画面Ｇ３には、タップすることにより月表示領域７２に表示している値を１増加させるとともに、所定時間以上タッチし続けるロングタッチを行うことで大きく値（＝例えば、１０）を増加させる月増加ボタン７６と、タップすることにより月表示領域７２に表示している値を１減少させるとともに、ロングタッチを行うことで大きく値（＝例えば、１０）を減少させる月減少ボタン７７と、が設けられている。
【００４１】
またユーザ登録画面Ｇ３には、タップすることにより日表示領域７３に表示している値を１増加させるとともに、所定時間以上タッチし続けるロングタッチを行うことで大きく値（＝例えば、１０）を増加させる日増加ボタン７８と、タップすることにより日表示領域７３に表示している値を１減少させるとともに、ロングタッチを行うことで大きく値（＝例えば、１０）を減少させる月減少ボタン７９と、生年月日の設定が完了したことを指示する「次へ」ボタン８０が設けられている。
【００４２】
したがって、ユーザ登録を行うユーザは、各ボタン７６〜７９を操作して、生年月日の設定が完了すると、「次へ」ボタン８０をタップすることで、ユーザ登録処理要求をサーバ１２に対して行うこととなる（ステップＳ１３）。
【００４３】
図９は、ユーザ登録完了画面の一例の説明図である。
その後、ユーザ登録処理が完了すると、サーバ１２は、ユーザＩＤを発行し（ステップＳ１４）、その結果として、タブレット１５のディスプレイにユーザ登録完了画面Ｇ４を表示する。
【００４４】
ユーザ登録完了画面Ｇ４は、ユーザ登録によりサーバ１２により割り当てられたユーザ名を表示するユーザ名表示領域８５と、ユーザ登録時に入力された生年月日を表示する生年月日表示領域８６と、ユーザ登録日を表示する登録日表示領域８７と、コミュニティ登録の注意書きが記載された注意書き表示領域８８と、ユーザアプリケーション（子機アプリケーション）の開始を指示するためのスタートボタン８９と、が表示されている。
【００４５】
このユーザ登録完了画面Ｇ４が表示された時点では、いまだ当該タブレット１５は、コミュニティＡには登録されておらず、コミュニティＡへの参加は認可待ち状態となっている。
【００４６】
その後、同様にしてスマートフォン１６についてもユーザ登録（ステップＳ１５）及びユーザＩＤ発行がなされた（ステップＳ１６）状態となると、親機であるスマートフォン１４のユーザは、サーバ１２にアクセスし、コミュニティＡを構築するために当該コミュニティＡに属する予定の子機の検索を行う（ステップＳ１７）。
【００４７】
図１０は、親機における子機の探索画面の一例の説明図である。
子機の探索画面Ｇ５は、図１０に示すように、子機のユーザ登録完了画面Ｇ４の生年月日表示領域８６に表示されていた子機のユーザが入力した誕生日を入力するための誕生日入力欄９１、子機のユーザ登録完了画面Ｇ４の登録日表示領域８７に表示されていた子機のユーザ登録日を入力するための登録日入力欄９２及びユーザ名表示領域８５に表示されていたユーザ名を入力するユーザ名入力欄９３と、各入力欄９１〜９３への入力が完了した時点で、サーバ１２に対して対応する子機の検索を行うように指示するための検索ボタン９４と、を備えている。
【００４８】
したがって、親機であるスマートフォン１４のユーザは、各入力欄９１〜９３への入力が完了した時点で、検索ボタン９４をタップする。
これにより、スマートフォン１４から無線基地局２０及び通信ネットワーク２１を介してサーバ１２に検索要求がなされる（ステップＳ１７）。
【００４９】
これによりサーバ１２は、データベース１１を参照して、該当する子機、すなわち、当該子機のユーザが登録した生年月日、登録年月日及びユーザ名が全て一致する子機が存在するか否かを検索する子機検索処理を行う（ステップＳ１８）。
【００５０】
子機検索処理の結果、親機であるスマートフォン１４により指定された子機が見つかった場合には、コミュニティ登録を行う（ステップＳ１９）。
具体的には、親機であるスマートフォン１４に対し、タブレット１５及びスマートフォン１６が登録されることとなる。
【００５１】
ここで、同一のコミュニティに登録された機器同士におけるデータの取り扱いについて説明する。
図１１は、同一のコミュニティに登録された機器同士におけるデータの取り扱いの説明図である。
【００５２】
以下の説明においては、通信端末装置の操作に不慣れな子機のユーザの操作を前提として説明する。
まずテキストデータについては、図１１に示すように、コミュニティに属する全子機のうちいずれかが作成元となって、他の子機及び親機に対してメール（置き手紙）を送信することができるようになっている。ここで、通常のメールと異なる点は、宛先を指定することなく、メールが送れる点である。この場合に、他の子機及び親機は、手紙を読む画面においてテキストを表示することが可能である。
またテキストデータの取得タイミングは、予め設定された所定時間毎（定期実行時）となっている。
【００５３】
また、手書き画像データについては、図１１に示すように、コミュニティに属する全子機のうちいずれかが作成元となって、他の子機及び親機に対してメール（置き手紙）の本文として送信することができるようになっている。ここでも、通常のメールと異なる点は、宛先を指定することなく、メールが送れる点と、添付ファイルとしてではなくメール本文として送信される点である。この場合に、他の子機及び親機は、手紙を読む画面においてメールを開くだけで手書き画像を表示することが可能である。
また手書き画像データの取得タイミングは、予め設定された所定時間毎（定期実行時）となっている。
【００５４】
また、撮影写真データについては、図１１に示すように、コミュニティに属する全子機のうちいずれかが作成元となって、他の子機及び親機に対して画像投稿（画像転送）ができるようになっている。ここで、画像投稿は、宛先を指定することなく、撮影写真データが送信される。したがって、他の子機及び親機は、メイン画面で撮影写真を表示することが可能である。
また撮影写真データの取得タイミングは、予め設定された所定時間毎（定期実行時）となっている。
【００５５】
また、本実施形態では、メールを受信した場合には、後述するように、メール画面にメールを読んだことの確認を促すためのボタン（以下、読んだボタンという。）が表示されるので、当該読んだボタンをタップすることにより、内蔵カメラでメールを読んだユーザの画像が自動的に撮影され、得られた撮影写真データが返信画像データとして生成される。
【００５６】
この返信画像データについては、図１１に示すように、コミュニティに属する全子機のうちいずれかが作成元となって、他の子機及び親機に対して画像投稿（画像転送）ができるようになっている。この場合においても、画像投稿は、宛先を指定することなく、返信画像データが送信される。したがって、他の子機及び親機は、メイン画面で返信画像を表示することが可能である。
また返信画像データの取得タイミングは、予め設定された所定時間毎（定期実行時）となっている。
【００５７】
また、本実施形態においては、コミュニティ毎に一つの共有カレンダー（カレンダー予定データ）を有することができるようになっており、同一のコミュニティに属する機器のユーザ同士の予定を確認できるようになっている。
【００５８】
カレンダー予定データについては、図１１に示すように、コミュニティを管理している親機が作成元となって、コミュニティに属する全子機に対してカレンダー予定データの転送ができるようになっている。ここで、カレンダー予定データの転送についても宛先を指定することなく、カレンダー予定データが送信される。したがって、全子機は、予定一覧画面でカレンダー及び予定を表示することが可能である。
またカレンダー予定データの取得タイミングは、予定一覧画面への画面遷移操作がなされた時点となっている。
【００５９】
また、手書き画像データデータ、撮影写真データ、返信画像データについては、図１１に示すように、親機が、データ毎及び子機毎に非表示設定としたり、削除したり、ダウンロード画面を表示して、サーバ１２からダウンロードしたりするなどの写真データの管理を行えるようになっている。
【００６０】
次に子機の動作を中心として通常時の動作について説明する。  
まず、子機アプリケーションのメイン画面について説明する。
【００６１】
図１２は、子機アプリケーションのメイン画面の一例の説明図である。
メイン画面ＧＭは、大別すると、各種表示を行う情報表示領域１０１と、初期画面（ホーム画面）の表示に移行するためのホームボタン１０２と、テキストデータとして送信されたメールを読むための「手紙を読む」ボタン１０３と、テキストデータあるいは手書き画像データとしてのメールを作成するための「手紙を書く」ボタン１０４と、写真を撮影して写真撮影データを生成し、転送するための「写真を撮る」ボタン１０５と、サーバ１２に登録されているカレンダー予定データを取得してカレンダー及び予定を表示する予定一覧画面を表示するためのカレンダーボタン１０６と、が配置されている。
【００６２】
図１３は、子機アプリケーションにおけるメイン処理の処理フローチャートである。
以下の説明においては、子機の構成について再び図３を参照して説明する。
まずＭＰＵ４１は、通信インタフェース４６、無線基地局２０及び通信ネットワーク２１を介して、サーバ１２に対して新規メール等の新規データの有無を確認し、新規データが存在する場合には、当該新規データを受信する（ステップＳ２１）。
【００６３】
そしてＭＰＵ４１は、受信データリストをディスプレイの情報表示領域１０１に表示する（ステップＳ２２）。
次にＭＰＵ４１は、ディスプレイ４５の表示画面、すなわち、タッチパネル４４がタップされたか否かを判別する（ステップＳ２３）
【００６４】
ステップＳ２３の判別において、ディスプレイ４５の表示画面がタップされた場合には（ステップＳ２３；Ｙｅｓ）、ＭＰＵ４１は、ホームボタン１０２がタップされたか否かを判別する（ステップＳ２６）。
【００６５】
ステップＳ２６の判別において、ホームボタン１０２がタップされた場合には（ステップＳ２６；Ｙｅｓ）、ＭＰＵ４１は、図１２に示したメイン画面を表示するホーム移行処理を行って（ステップＳ２７）、処理を再びステップＳ２１に移行して、以下、同様の処理を行う。
【００６６】
ステップＳ２６の判別において、ホームボタン１０２がタップされたのではない場合には（ステップＳ２６；Ｎｏ）、ＭＰＵ４１は、「手紙を読む」ボタン１０３がタップされたか否かを判別する（ステップＳ２８）。
【００６７】
ステップＳ２８の判別において、「手紙を読む」ボタン１０３がタップされた場合には（ステップＳ２８；Ｙｅｓ）、ＭＰＵ４１は、メール処理に移行し（ステップＳ２９）、メール処理完了後、処理を再びステップＳ２１に移行して、以下、同様の処理を行う。なお、メール処理については、後にメール作成処理とともに詳述する。
【００６８】
ステップＳ２８の判別において、「手紙を読む」ボタン１０３がタップされたのではない場合には（ステップＳ２８；Ｎｏ）、ＭＰＵ４１は、「手紙を書く」ボタン１０４がタップされたか否かを判別する（ステップＳ３０）。
【００６９】
ステップＳ３０の判別において、「手紙を書く」ボタン１０４がタップされた場合には（ステップＳ３０；Ｙｅｓ）、ＭＰＵ４１は、メール作成処理に移行し（ステップＳ３１）、メール作成処理完了後、処理を再びステップＳ２１に移行して、以下、同様の処理を行う。
【００７０】
ここで、メール作成処理及びメール処理について詳細に説明する。
図１４は、メール作成処理及びメール処理の処理タイミングチャートである。
以下の説明においては、子機であるスマートフォン１６のユーザである孫から子機であるタブレット１５のユーザである祖父に対してメールを送信した場合を例として説明する。
【００７１】
まず、スマートフォン１６のユーザである孫は、ユーザアプリケーション（子機ユーザアプリケーション）を起動し、メール作成を行う（ステップＳ４１）。
以下、メール作成処理を具体的に説明する。
【００７２】
図１５は、子機であるスマートフォンにおけるユーザアプリケーションのメイン画面の説明図である。
コミュニティＡに属する第２の子機であるスマートフォン１６のユーザアプリケーションのメイン画面ＧＭ１は、大別すると、各種表示を行う情報表示領域１１１と、初期画面（ホーム画面）の表示に移行するためのホームボタン１１２と、テキストデータとして送信されたメールを読むための「手紙を読む」ボタン１１３と、テキストデータあるいは手書き画像データとしてのメールを作成するための「手紙を書く」ボタン１１４と、写真を撮影して写真撮影データを生成し、転送するための「写真を撮る」ボタン１１５と、サーバ１２に登録されているカレンダー予定データを取得してカレンダー及び予定を表示する予定一覧画面を表示するためのカレンダーボタン１１６と、が配置されている。
【００７３】
図１６は、メール作成処理の処理フローチャートである。
まず、コミュニティＡに属する第２の子機であるスマートフォン１６のＭＰＵ４１は、メイン画面ＧＭ１において、「手紙を書く」ボタン１１４がタップされた場合には、メール作成初期画面を表示する（ステップＳ６１）。
【００７４】
図１７は、メール作成初期画面の一例の説明図である。
メール作成初期画面ＧＭ１１は、図１５に示した情報表示領域１１１にメールの作成に際し、入力を手書きで行う手書き入力モードへの移行を指示する手書きボタン１２１と、入力をソフトウェアキーボードで行うキーボード入力モードへの移行を指示するキーボードボタン１２２と、が表示される。
【００７５】
この状態において、スマートフォン１６のＭＰＵ４１は、手書きボタン１２１がタップされたか否かを判別する（ステップＳ６２）。
ステップＳ６２の判別において、手書きボタン１２１がタップされた場合には（ステップＳ６２；Ｙｅｓ）、スマートフォン１６のＭＰＵ４１は、手書き入力画面を表示し（ステップＳ６３）、文面入力操作に移行する（ステップＳ６４）。
【００７６】
図１８は、手書き入力画面の一例の説明図である。
なお、図１８においては、理解の容易のため、既に手書き入力がなされた状態を示しているが、実際には、文面が入力されていない状態で表示がなされる。
【００７７】
手書き入力画面Ｇ２１は、大別すると、ユーザがタッチパネルを介して文面を入力するための文面入力領域１２５と、入力された文面をメールとして送信するための送信ボタン１２６と、文面入力領域１２５内の文面を消すための消すボタン１２７と、入力をソフトウェアキーボードで行うキーボード入力モードへの移行を指示するキーボードボタン１２８と、メール作成を終了してメイン画面ＧＭ１へ移行するホームボタン１２９と、を備えている。
【００７８】
次にスマートフォン１６のＭＰＵ４１は、いずれかのボタンがタップされたかを判別する（ステップＳ６５）。
ステップＳ６５の判別において、いずれのボタンもタップされていない場合には（ステップＳ６５；Ｎｏ）、スマートフォン１６のＭＰＵ４１は、処理を再びステップＳ６４に移行して、文面入力操作を継続する。
【００７９】
ステップＳ６５の判別において、いずれかのボタンがタップされた場合には（ステップＳ６５；Ｙｅｓ）、スマートフォン１６のＭＰＵ４１は、タップされたボタンが送信ボタン１２６であるか否かを判別する（ステップＳ６６）。
ステップＳ６６の判別において、タップされたボタンが送信ボタン１２６以外の他のボタンである場合には（ステップＳ６６；Ｎｏ）、当該他のボタンに対応する処理を行って（ステップＳ６７）、処理を再びステップＳ６４に移行して、以下、同様の処理を行うこととなる。
ステップＳ６６の判別において、タップされたボタンが送信ボタン１２６である場合には（ステップＳ６６；Ｙｅｓ）、文面入力操作は完了したと言うことであるので、スマートフォン１６のＭＰＵ４１は、当該時点における文面入力内容を確定してメール作成処理を終了する。
この結果、スマートフォン１６のＭＰＵ４１は、指定された送信先（この場合、タブレット１５）に対しメールを送信する（ステップＳ４２）。
【００８０】
一方、ステップＳ６２の判別において、手書きボタン１２１がタップされたのではない場合には（ステップＳ６２；Ｎｏ）、スマートフォン１６のＭＰＵ４１は、キーボードボタン１２２がタップされたか否かを判別する（ステップＳ６９）。
【００８１】
ステップＳ６９の判別において、キーボードボタン１２２がタップされたのではない場合には（ステップＳ６９；Ｎｏ）、メール作成処理を終了する（キャンセル）等のメール作成以外のその他の操作がなされたか否かを判別する（ステップＳ７１）。
ステップＳ７１の判別において、メール作成以外のその他の操作がなされた場合には（ステップＳ７１；Ｙｅｓ）、当該その他の操作に対応する処理を行い（ステップＳ７２）、処理を終了する。
ステップＳ７１の判別において、メール作成以外のその他の操作がなされたのではない場合には処理を再びステップＳ６１に処理を移行して待機状態となる。
【００８２】
一方、ステップＳ６９の判別において、キーボードボタン１２２がタップされた場合には（ステップＳ６９；Ｙｅｓ）、キーボード入力画面を表示し（ステップＳ７０）、文面入力操作に移行する（ステップＳ６４）。
【００８３】
図１９は、キーボード入力画面の一例の説明図である。
なお、図１９においても、図１８と同様に、理解の容易のため、既にキーボード入力がなされた状態を示しているが、実際には、文面が入力されていない状態で表示がなされる。
【００８４】
キーボード入力画面Ｇ２２は、大別すると、ユーザがソフトウェアキーボードを介して文面を入力するための文面入力領域１３１と、入力された文面をメールとして送信するための送信ボタン１３２と、入力モードの上述の手書き入力モードへの移行を指示する手書きボタン１３３と、メール作成を終了してメイン画面ＧＭ１へ移行するホームボタン１３４と、ソフトウェアキーボードが表示されるキーボード表示領域１３５と、を備えている。
【００８５】
そしてスマートフォン１６のＭＰＵ４１は、送信ボタン１３２、手書きボタン１３３あるいはホームボタン１３４いずれかのボタンがタップされたかを判別する（ステップＳ６５）。
ステップＳ６５の判別において、いずれのボタンもタップされていない場合には（ステップＳ６５；Ｎｏ）、スマートフォン１６のＭＰＵ４１は、処理を再びステップＳ６４に移行して、キーボード表示領域１３５に表示されているソフトウェアキーボードを用いた文面入力操作を継続する。
【００８６】
ステップＳ６５の判別において、いずれかのボタンがタップされた場合には（ステップＳ６５；Ｙｅｓ）、スマートフォン１６のＭＰＵ４１は、タップされたボタンが送信ボタン１３２であるか否かを判別する（ステップＳ６６）。
ステップＳ６６の判別において、タップされたボタンが送信ボタン１３２である場合には、文面入力操作は完了したと言うことであるので、スマートフォン１６のＭＰＵ４１は、当該時点における文面入力内容を確定してメール作成処理を終了する。
この結果、スマートフォン１６のＭＰＵ４１は、指定された送信先（この場合、タブレット１５）に対しメールを送信する（ステップＳ４２）。
【００８７】
以上の説明は、文面入力の入力モードが、手書き入力モードあるいはキーボード入力モードのいずれかで行われるものとして説明したが、双方の入力モードを併用して手書き入力に対応する画像データ及びキーボード入力に対応するテキストデータの双方が存在する場合には、これらのデータを併せて一つのメールとして作成されることとなる。
【００８８】
ステップＳ４２において、送信されたメールは、無線基地局２０及び通信ネットワーク２１を介して、サーバ１２に転送され、データベース１１に格納されるとともに、指定された送信先（この場合、タブレット１５）に対してメール配信がなされる（ステップＳ４３）。これと並行して、本実施形態においては、メール送信元の子機であるスマートフォン１６及びメール送信先の子機であるタブレット１５の双方が属しているコミュニティＡの親機であるスマートフォン１４に対してもメール配信がなされる（ステップＳ４４）。
【００８９】
すなわち、同一コミュニティに属する子機同士（本例では、スマートフォン１６及びタブレット１５）のメール送信に関しては、親機であるスマートフォン１４の管理下に置かれていることとなる。したがって、スマートフォン１４のユーザであるスマートフォン１６の孫の親は、自分の親（祖父）と自分の子（孫）とのやりとりを把握することができるのであり、スマートフォン１４のユーザであるスマートフォン１６の孫の親は、孫と祖父との間のやりとりを安心して見守ることができるのである。
【００９０】
図２０は、手紙を読む場合の処理フローチャートである。
この結果、スマートフォン１４から送信されたメールは、タブレット１５により図１２に示した「手紙を読む」ボタン１０３がタップされると（あるいは自動受信が予め設定されていると）、タブレット１５の表示画面には、少なくともメールの表題が未読、既読の別の情報とともに、メール一覧として表示される（ステップＳ８１）。
【００９１】
このメール一覧は、ユーザが画面をドラッグしてスライドさせることによりスクロールされる。
そしてメール一覧を表示したタブレット１５のＭＰＵ４１は、タブレット１５のユーザが、読むことを希望するメールに対応する表題をタップして選択がなされたか否かを判別する（ステップＳ８２）。
【００９２】
ステップＳ８２の判別において、いずれのメールも選択されていない場合には（ステップＳ８２；Ｎｏ）、待機状態となる。
ステップＳ８２の判別において、タブレット１５のユーザが、読むことを希望するメールに対応する表題をタップして選択した場合には（ステップＳ８２；Ｙｅｓ）、タブレット１５のＭＰＵ４１は、選択されたメールが手書きメールか否かを判別する（ステップＳ８３）。
【００９３】
ステップＳ８３の判別において、選択されたメールが手書きメールである場合には（ステップＳ８３；Ｙｅｓ）、タブレット１５のＭＰＵ４１は、メール内容を拡大表示する（ステップＳ８４：ステップＳ４５）。これは、画像データの容量を小さくし、通信ネットワーク２１の負荷を低減するために画像を縮小して送信しているためである。
一方、ステップＳ８３の判別において、選択されたメールが手書きメールではない、すなわち、テキストメールで有る場合には（ステップＳ８３；Ｎｏ）、メール内容をそのまま表示する（ステップＳ８５：ステップＳ４５）。
【００９４】
図２１は、メール表示例の説明図である。
個別メール表示画面Ｇ３１には、送信者のアイコンを表示するアイコン表示領域１４１と、送信日時を表示する送信日時表示領域１４２と、表題を表示する表題表示領域１４３と、メール送信者のユーザＩＤを表示するメール送信者情報表示領域１４４と、メール内容表示領域１４５と、メール内容表示領域１４５の最下部（あるいは下方）に配置された「手紙を読んだ」ボタン１４６と、を備えている。
【００９５】
ここで、タブレット１５のＭＰＵ４１は、メールの受信者であるタブレット１５のユーザ（祖父）が「手紙を読んだ」ボタン１４６をタップしたか否かを判別する（ステップＳ４６）。
ステップＳ４６の判別において、未だ「手紙を読んだ」ボタン１４６がタップされていない場合には（ステップＳ４６；Ｎｏ）、再び処理をステップＳ４５に移行してメール内容を表示する。
【００９６】
ステップＳ４６の判別において、「手紙を読んだ」ボタン１４６がタップされた場合には、タブレット１５のＭＰＵ４１は、ディスプレイ４５側に配置されている第２カメラ４８（図３参照）を駆動して、メールを読んでいる際のタブレット１５のユーザを写真撮影する（ステップＳ４７）。
【００９７】
そして、タブレット１５のＭＰＵ４１は、撮影したタブレット１５のユーザの写真を返信メールに添付して送信する（ステップＳ４８）。したがって、たとえタブレット１５のユーザがタブレット１５の操作が苦手で返信メールを送信できないようなユーザであっても、タップするだけの操作でメールを読んだことが返信されるので、メールの送信者は、メールの受信者がメールを読んだことを確実に知ることができる。
【００９８】
ステップＳ４８において、送信されたメールは、無線基地局２０及び通信ネットワーク２１を介して、サーバ１２に転送され、データベース１１に格納されるとともに、返信先（この場合、スマートフォン１６）に対してステップＳ４７で撮影した写真を添付したメール配信がなされる（ステップＳ５０）。これと並行して、本実施形態においては、メール送信元の子機であるスマートフォン１６及びメール送信先の子機であるタブレット１５の双方が属しているコミュニティＡの親機であるスマートフォン１４に対してもメール配信がなされる（ステップＳ５１）。
【００９９】
すなわち、同一コミュニティに属する子機同士（本例では、スマートフォン１６及びタブレット１５）のメール返信に関しても、親機であるスマートフォン１４の管理下に置かれていることとなる。したがって、スマートフォン１４のユーザであるスマートフォン１６の孫の親は、自分の親（祖父）と自分の子（孫）とのやりとりを把握することができるのであり、スマートフォン１４のユーザであるスマートフォン１６の孫の親は、孫と祖父との間のやりとりを安心して見守ることができるのである。
【０１００】
ここで、ふたたび図１３に戻り、子機アプリケーションにおけるメイン処理について説明する。
【０１０１】
ステップＳ３０の判別において、「手紙を書く」ボタン１０４がタップされたのではない場合には（ステップＳ３０；Ｎｏ）、ＭＰＵ４１は、「写真を撮る」ボタン１０５がタップされたか否かを判別する（ステップＳ３２）。
【０１０２】
ステップＳ３２の判別において、「写真を撮る」ボタン１０５がタップされた場合には（ステップＳ３２；Ｙｅｓ）、ＭＰＵ４１は、写真撮影処理に移行し（ステップＳ３３）、写真撮影処理完了後、処理を再びステップＳ２１に移行して、以下、同様の処理を行う。
【０１０３】
ここで、写真撮影処理について詳細に説明する。
図２２は、写真撮影処理の処理フローチャートである。
図２３は、写真撮影画面の一例の説明図である。
まず、スマートフォン１６のＭＰＵ４１は、「写真を撮る」ボタン１０５がタップされると、ディスプレイ４５の背面側に配置されている第１カメラ４７を起動する（ステップＳ９１）。
【０１０４】
そして、第１カメラ４７で撮影している画像をファインダ画像として、ディスプレイ４５にカメラ撮影画面Ｇ３２として表示する（ステップＳ９２）。
続いて、スマートフォン１６のＭＰＵ４１は、カメラ撮影画面Ｇ３２において、カメラ切替ボタン１５１がタップされたか否かを判別する（ステップＳ９３）。
【０１０５】
ステップＳ９３の判別において、カメラ切替ボタン１５１がタップされた場合には（ステップＳ９３；Ｙｅｓ）、スマートフォン１６のＭＰＵ４１は、ディスプレイ４５側に配置されている第２カメラ４８を起動し（ステップＳ９４）、第２カメラ４８で撮影している画像をファインダ画像として、ディスプレイ４５にカメラ撮影画面Ｇ３２として表示する（ステップＳ９２）。
【０１０６】
ステップＳ９３の判別において、カメラ切替ボタン１５１がタップされたのではない場合には（ステップＳ９３；Ｎｏ）、スマートフォン１６のＭＰＵ４１は、カメラ撮影画面Ｇ３２において、撮影ボタン１５２がタップされたか否かを判別する（ステップＳ９５）。
【０１０７】
ステップＳ９５の判別において、撮影ボタン１５２がタップされたのではない場合には（ステップＳ９５；Ｎｏ）、スマートフォン１６のＭＰＵ４１は、カメラ撮影画面Ｇ３２において、ホームボタン１５３がタップされたか否かを判別する（ステップＳ９６）。
【０１０８】
ステップＳ９６の判別において、ホームボタン１５３がタップされたのでは無い場合には（ステップＳ９６；Ｎｏ）、処理を再びステップＳ９２に移行して待機状態となる。
ステップＳ９６の判別において、ホームボタン１５３がタップされた場合には（ステップＳ９６；Ｙｅｓ）、現在起動しているカメラを停止し（ステップＳ９７）、図１５に示したユーザアプリケーションのメイン画面ＧＭ１（ホーム画面）を表示して写真撮影処理を終了する。
【０１０９】
一方、ステップＳ９５の判別において、撮影ボタン１５２がタップされた場合には（ステップＳ９５；Ｙｅｓ）、スマートフォン１６のＭＰＵ４１は、写真データ（撮影データ）を取得する撮影を行う（ステップＳ９９）
そしてスマートフォン１６のＭＰＵ４１は、取得した写真データをメモリカードＲ／Ｗ４９を介してメモリカードに記録する（ステップＳ１００）。
【０１１０】
そして、通信インタフェース４６、無線基地局２０及び通信ネットワーク２１を介してサーバ１２に送信し、データベース１１に格納させる（ステップＳ１０１）。
そして再び処理をステップＳ９２に移行し、以下、同様の処理を繰り返すこととなる。
【０１１１】
ステップＳ３２の判別において、「写真を撮る」ボタン１０５がタップされたのではない場合には（ステップＳ３２；Ｎｏ）、スマートフォン１６のＭＰＵ４１は、カレンダーボタン１０６がタップされたか否かを判別する（ステップＳ３４）。
【０１１２】
ステップＳ３４の判別において、カレンダーボタン１０６がタップされた場合には（ステップＳ３４；Ｙｅｓ）、スマートフォン１６のＭＰＵ４１は、通信インタフェース４６、無線基地局２０及び通信ネットワーク２１を介してサーバ１２に接続して、親機であるスマートフォン１４のユーザが設定したカレンダーデータ（スケジュールデータ）を受信してディスプレイ４５に表示するカレンダー処理を行い（ステップＳ３５）、ユーザの支持によりカレンダー処理の終了が指示されると、再び処理をステップＳ２１に移行して、以下、同様の処理を行う。
【０１１３】
ステップＳ３４の判別において、カレンダーボタン１０６がタップされたのではない場合には、再び処理をステップＳ２１に移行して、以下、同様の処理を行う。
【０１１４】
以上の説明のように、本実施形態によれば、子機の操作に不慣れなユーザであっても簡易な操作で、メールの送受信などの操作を行って、コミュニケーションを容易に図ることが可能となる。
【０１１５】
以上の説明においては、メールに添付される画像（写真）が一つの場合について説明したが、送信元の子機（例えば、スマートフォン１６）から送信先の子機（例えば、タブレット１５）に送信したメールに添付される画像が複数である場合には、添付した画像（写真）をいわゆるスライドショー表示を行うように構成することも可能である。
【０１１６】
図２４は、スライドショー表示の一例の説明図である。
図２４に示すように、２枚の画像（写真）がメールに添付されていた場合には、図２４に示すように、ディスプレイ４５に交互に画像（写真）を表示するようになる。
このような構成とすることにより、送信先の子機（例えば、タブレット１５）のユーザが当該子機の操作に不慣れな場合であっても全ての画像（写真）を閲覧することが可能となる。
【０１１７】
以上の説明においては、メールを受信した場合にメールの送信先の子機、すなわち、返信メールの送信元の子機において、返信メールに添付する写真の撮影は、自動的に行われ、撮り直し等は行うことができなかったが、本変形例は返信メールの送信元のユーザが簡易な操作で取り直しを行うようにする変形例である。
【０１１８】
図２５は、子機におけるメール受信時の他の動作例の説明図である。
以下の説明においては、タブレット１５において、スマートフォン１６からのメールを受信した場合の動作を例として再び図２１を参照しつつ説明する。
タブレット１５においてメールを受信した場合には（ステップＳ１１１）、タブレット１５のＭＰＵ４１は、図２１に示したように、ディスプレイ４５にメール画面Ｇ３１を表示する（ステップＳ１１２）。
【０１１９】
続いて、タブレット１５のＭＰＵ４１は、「手紙を読んだ」ボタン１４６がタップされたか否かを判別する（ステップＳ１１３）。
ステップＳ１１３の判別において、未だ「手紙を読んだ」ボタン１４６がタップされていない場合には（ステップＳ１１３；Ｎｏ）、メール画面Ｇ３１の表示を継続する（ステップＳ１１２）。
【０１２０】
ステップＳ１１３の判別において、「手紙を読んだ」ボタン１４６がタップされた場合には（ステップＳ１１３；Ｙｅｓ）、タブレット１５のＭＰＵ４１は、第２カメラを起動し、タブレット１５のユーザの写真を撮影する（ステップＳ１１４）。
続いてタブレット１５のＭＰＵ４１は、ディスプレイ４５に撮影した写真の再撮影を行うかを問い合わせる再撮影問い合わせる画面を表示する（ステップＳ１１５）。
【０１２１】
図２６は、再撮影問合せ画面の一例の説明図である。
再撮影問合せ画面Ｇ３３は、図２６に示すように、撮影画像を表示する撮影画像表示領域１６１と、再撮影指示ボタン１６２が表示される。
続いて、タブレット１５のＭＰＵ４１は、再撮影指示ボタン１６２がタップされたか否かを判別する（ステップＳ１１６）。
【０１２２】
ステップＳ１１６の判別において、再撮影指示ボタン１６２がタップされた場合には（ステップＳ１１６；Ｙｅｓ）、タブレット１５のＭＰＵ４１は、処理を再びステップＳ１１４に移行して写真の再撮影を行い（ステップＳ１１４）、以下、同様の処理を行う。
【０１２３】
ステップＳ１１６の判別において、未だ再撮影指示ボタン１６２がタップされていない場合には、タブレット１５のＭＰＵ４１は、前回の撮影を行ってから所定時間が経過したか否かを判別する（ステップＳ１１７）。この場合における所定時間は、メール送信処理に自動的に移行するまでの時間を規定するものであり、ユーザが何ら操作を行わなければ、所定時間の経過後に、現在、撮影画像表示領域１６１に表示されている画像（写真）を返信メールに添付して送信するように定められている時間である。この所定時間については、予めタブレット１５のユーザアプリケーション５５に設定され、あるいは、ユーザ若しくは親機のユーザが任意に設定するようにすることも可能である。
【０１２４】
ステップＳ１１７の判別において、未だ所定時間が経過していない場合には（ステップＳ１１７；Ｎｏ）、タブレット１５のＭＰＵ４１は、処理を再びステップＳ１１６に移行し、同様に処理を行う。
【０１２５】
ステップＳ１１７の判別において、所定時間が経過した場合には（ステップＳ１１１７；Ｙｅｓ）、タブレット１５のＭＰＵ４１は、撮影したタブレット１５のユーザの写真を返信メールに添付して送信する（ステップＳ４８）。
【０１２６】
したがって、たとえタブレット１５のユーザがタブレット１５の操作が苦手で返信メールを送信できないようなユーザであっても、「手紙を読んだ」ボタン１４６をタップするだけの操作でメールを読んだことが返信されるとともに、そのときの写真、あるいは、メールの受信者であるタブレット１５のユーザが納得した写真を添付できるので、メールの送信者は、メールの受信者がメールを読んだことを確実に知ることができるとともに、メール受信者の表情をうかがい知ることが可能となる。
【０１２７】
以上の説明においては、通信端末装置の操作が苦手なユーザの通信端末、すなわち、操作に不慣れなユーザの子機を前提に、子機であるスマートフォン１６のユーザである孫から子機であるタブレット１５のユーザである祖父に対してメールが送信された場合の、祖父の子機であるタブレット１５の動作を説明したが、親機（管理端末装置）の管理下にある子機を含む通信であれば、通信端末装置の操作が苦手なユーザの通信端末、すなわち、操作に不慣れなユーザの子機であるか否かにかかわらず、また、孫と祖父との関係に限らず同様に適用が可能である。
【０１２８】
以上の説明においては、親機（管理端末装置）に対して、管理下にある子機同士でやりとりが行われるメールが通知されるようになっていたが、設定により、子機同士の通信が親機に通知がなされないようにすることも可能である。この場合において、メールについては、すべてサーバ１２で管理しておき、必要に応じて親機（管理端末装置）のユーザがそれらを参照することができるように構成することも可能である。
【０１２９】
以上の説明においては、子機であるスマートフォン１６のユーザである孫から子機であるタブレット１５のユーザである祖父に対してメールが送信された場合の、祖父の子機であるタブレット１５の動作を説明したが、子機同士でやりとりが行われるメールに限らず、親機から子機に対してメールが送信された場合の子機の動作及び子機から親機に対してメールが送信された場合の親機の動作についても同様に適用が可能である。
【０１３０】
また、以上の説明においては、同一コミュニティに属する通信端末の場合について説明したが、同一コミュニティに属さない通信端末同士の場合であっても、操作に不慣れなユーザの通信端末において、同様に受信したメールを確認対象メールとして表示するとともに、当該確認対象メールを読んだことの確認操作を促す表示を行い、確認操作がなされた場合に、カメラなどの写真撮影手段により写真を撮影して返信メールに添付して所定の送信先に送信するように構成することも可能である。
【０１３１】
また、親機（管理端末装置）が存在せずその管理下になくても、ユーザの通信端末において、同様に受信したメールを確認対象メールとして表示するとともに、当該確認対象メールを読んだことの確認操作を促す表示を行い、確認操作がなされた場合に、カメラなどの写真撮影手段により写真を撮影して返信メールに添付して所定の送信先に送信するように構成することも可能である。この場合には、あらかじめサーバ１２上に確認操作がなされた場合の所定の送信先等の設定がなされているか、あるいは、各ユーザの通信端末上のメールアプリケーション等に確認操作がなされた場合の所定の送信先等の設定があらかじめなされている必要がある。さらにこれらの設定については、パーソナルコンピュータ等によりサーバ１２に通信ネットワーク２１等を介して接続し、ブラウザ等により直接設定するようにすることも可能である。
【０１３２】
次に実施形態の他の態様について説明する。
本実施形態の他の第１の態様は、通信ネットワークを介してメールを受信するメール受信手段と、写真撮影を行う写真撮影手段と、各種情報を表示する表示手段と、受信した前記メールを確認対象メールとして表示するとともに、当該確認対象メールを読んだことの確認操作を促す表示を行う表示制御手段と、前記確認操作がなされた場合に、前記写真撮影手段により写真を撮影して返信メールに添付して所定の送信先に送信するメール送信手段と、を備えるようにしてもよい。
上記構成によれば、簡易な操作で通信端末装置のユーザ間のコミュニケーションを図ることができる。
【０１３３】
本実施形態の他の第２の態様は、前記メール送信手段は、前記返信メールを受信したメールの送信先を含む複数の所定の送信先へ前記返信メールを送信するようにしてもよい。
上記構成によれば、簡易な操作で複数の通信端末装置のユーザに対し返信メールを送信でき、複数のユーザ間でコミュニケーションを図れる。
【０１３４】
本実施形態の他の第３の態様は、前記通信端末装置は、複数の他の通信端末装置と同一のコミュニティに属しており、前記メール送信手段は、同一のコミュニティに属する他の通信端末装置を前記所定の送信先とするようにしてもよい。
上記構成によれば、同一のコミュニティに属している通信端末装置のユーザ間でコミュニケーションを容易に図ることができる。
【０１３５】
本実施形態の他の第４の態様は、前記写真撮影手段は、自己が備えられている通信端末装置の操作者の前記確認操作時の写真撮影を行うようにしてもよい。
上記構成によれば、確認操作をトリガとして写真撮影が行えるので、操作者が写真撮影を意識しない自然な表情が撮影できるとともに、特別な操作を行う必要が無く確実に写真を返信メールに添付することが可能となる。
【０１３６】
本実施形態の他の第５の態様は、通信ネットワークを介して通信を行うとともに、各種情報を表示する表示装置を備えた通信端末装置において実行される制御方法であって、通信ネットワークを介してメールを受信するメール受信過程と、受信した前記メールを確認対象メールとして前記表示装置に表示するとともに、当該確認対象メールを読んだことの確認操作を促す表示を行う表示制御過程と、前記確認操作がなされた場合に、写真撮影を行う写真撮影過程と、前記写真撮影過程において撮影された写真を返信メールに添付して所定の送信先に送信するメール送信過程と、を備える。
上記構成によれば、簡易な操作で通信端末装置のユーザ間のコミュニケーションを図ることができる。
【０１３７】
本実施形態の他の第６の態様は、通信ネットワークを介して通信を行うとともに、各種情報を表示する表示装置を備えた通信端末装置をコンピュータにより制御する制御プログラムであって、前記コンピュータを、通信ネットワークを介してメールを受信するメール受信手段と、写真撮影を行う写真撮影手段と、受信した前記メールを確認対象メールとして前記表示装置に表示するとともに、当該確認対象メールを読んだことの確認操作を促す表示を行う表示制御手段と、前記確認操作がなされた場合に、前記写真撮影手段により写真を撮影して返信メールに添付して所定の送信先に送信するメール送信手段と、して機能させる。
上記構成によれば、簡易な操作で通信端末装置のユーザ間のコミュニケーションを図ることができる。
【０１３８】
本実施形態の他の第７の態様は、前記写真撮影手段は、前記確認操作時の前回の撮影から所定時間の間、再撮影が可能とされているようにしてもよい。
上記構成によれば、操作者が所望するより好適な写真を返信メールに添付することが可能となる。
【０１３９】
本実施形態の他の第８の態様は、前記メール送信手段は、前記確認操作時の前回の撮影から所定時間が経過すると、前記返信メールを自動的に送信するようにしてもよい。
上記構成によれば、何ら操作者が操作を行わなくても、確実に写真を添付した返信メールを自動的に送信することができる。
【０１４０】
本実施形態の他の第９の態様は、前記表示手段は、前記確認操作時の前回の撮影から所定時間の間、前回の撮影時の写真を表示するようにしてもよい。
上記構成によれば、操作者は、何ら操作を行わなくても、返信メールに添付されて送信される写真の内容を確認することができる。
【０１４１】
本実施形態の他の第１０の態様は、前記同一のコミュニティに属する他の通信端末装置には、当該コミュニティの管理を行う通信端末装置を含むようにしてもよい。
上記構成によれば、コミュニティ外に管理装置を別途設けることなく、コミュニティの管理が容易に行える。
【０１４２】
以上、本発明のいくつかの実施形態を説明したが、これらの実施形態は、例示したものであり、発明の範囲を限定することは意図するものではなく、その他の様々な形態で実施できる。また、発明の要旨を逸脱しない範囲で、種々の変更、置換、省略行うことが可能である。
【符号の説明】
【０１４３】
１０    通信システム
１１    データベース
１２    サーバ
１３    管理端末装置（ＰＣ）
１４    スマートフォン（通信端末装置、親機）
１５    タブレット（通信端末装置、子機）
１６、１９    スマートフォン（通信端末装置、子機）
１７    タブレット（通信端末装置、親機）
１８    タブレット（通信端末装置、子機）
２０    無線基地局
２１    通信ネットワーク
４１    ＭＰＵ（表示制御手段、メール送信手段、メール受信手段）
４５    ディスプレイ（表示手段）
４６    通信Ｉ／Ｆ（メール送信手段、メール受信手段）
４７    第１カメラ
４８    第２カメラ（写真撮影手段）
１４６  「手紙を読んだ」ボタン
【図１】
2014063211.tif 000003
【図２】
2014063211.tif 000004
【図３】
2014063211.tif 000005
【図４】
2014063211.tif 000006
【図５】
2014063211.tif 000007
【図６】
2014063211.tif 000008
【図７】
2014063211.tif 000009
【図８】
2014063211.tif 000010
【図９】
2014063211.tif 000011
【図１０】
2014063211.tif 000012
【図１１】
2014063211.tif 000013
【図１２】
2014063211.tif 000014
【図１３】
2014063211.tif 000015
【図１４】
2014063211.tif 000016
【図１５】
2014063211.tif 000017
【図１６】
2014063211.tif 000018
【図１７】
2014063211.tif 000019
【図１８】
2014063211.tif 000020
【図１９】
2014063211.tif 000021
【図２０】
2014063211.tif 000022
【図２１】
2014063211.tif 000023
【図２２】
2014063211.tif 000024
【図２３】
2014063211.tif 000025
【図２４】
2014063211.tif 000026
【図２５】
2014063211.tif 000027
【図２６】
2014063211.tif 000028